(57)【特許請求の範囲】
【請求項１】
複数の表示パネルと、
各上記表示パネルをそれぞれ独立して変移自在に支持する支持手段と、
上記支持手段を制御し、各上記表示パネルの位置を変更させる制御手段と、
上記表示パネルに表示される映像又は当該映像に対応する音声に現れる特定用語を検出する検出手段と
を有し、
上記制御手段は、
上記検出手段により特定用語が検出される表示パネルの位置を、他の表示パネルの表示パネルよりも前方向に変更させる
映像表示装置。
【請求項２】
複数の表示パネルと、
各上記表示パネルをそれぞれ独立して変移自在に支持する支持手段と、
上記支持手段を制御し、各上記表示パネルの位置を変更させる制御手段と、
上記表示パネルに表示される映像の番組視聴率をデータベースから取得する取得手段と
を有し、
上記制御手段は、
上記取得手段により取得される番組視聴率が高いほど、該番組視聴率に対応する映像が表示される表示パネルの位置を手前に変更させる
映像表示装置。
【請求項３】
複数の表示パネルと、
各上記表示パネルをそれぞれ独立して変移自在に支持する支持手段と、
上記支持手段を制御し、各上記表示パネルの位置を変更させる制御手段と、
上記表示パネルに表示される映像のなかから規定時間単位で現れる頻度が最も高い文字列を検出する検出手段と、
上記検出手段により検出される文字列の重要度又は新規度を指数データベースから取得する取得手段と
を有し、
上記制御手段は、
上記取得手段により取得される重要度又は新規度が高いほど、上記規定時間単位で最も頻度が高い文字列が現れる映像が表示される表示パネルの位置を手前に変更させる
映像表示装置。
【請求項４】
上記支持手段の変移方向に対応付けられた操縦部を有し、該操縦部の操縦結果を上記制御手段に伝達する操縦伝達手段をさらに有し、
上記制御手段は、
上記操縦伝達手段から伝達される操縦結果に応じて、表示パネルの位置を、他の表示パネルの表示パネル面よりも前又は後方向へ変更させる
請求項１、請求項２又は請求項３に記載の映像表示装置。
【請求項５】
追尾対象の位置を検出する位置検出手段をさらに有し、
上記制御手段は、
上記位置検出手段により検出される位置に各上記表示パネルが向くように表示パネルの傾斜角度を調整する
請求項１、請求項２又は請求項３に記載の映像表示装置。
【請求項６】
独立して変移自在に支持される複数の表示パネルに表示される映像又は当該映像に対応する音声に現れる特定用語を検出する第１のステップと、
上記第１のステップで特定用語が検出される表示パネルの位置を、他の表示パネルの表示パネルよりも前方向に変更させる第２のステップと
を有する映像表示方法。
【請求項７】
独立して変移自在に支持される複数の表示パネルに表示される映像の番組視聴率をデータベースから取得する第１のステップと、
上記第１のステップで取得される番組視聴率が高いほど、該番組視聴率に対応する映像が表示される表示パネルの位置を手前に変更させる第２のステップと
を有する映像表示方法。
【請求項８】
独立して変移自在に支持される複数の表示パネルに表示される映像のなかから規定時間単位で現れる頻度が最も高い文字列を検出する第１のステップと、
上記第１のステップで検出される文字列の重要度又は新規度を指数データベースから取得する第２のステップと、
上記第２のステップで取得される重要度又は新規度が高いほど、上記規定時間単位で最も頻度が高い文字列が現れる映像が表示される表示パネルの位置を手前に変更させる第３のステップと
を有する映像表示方法。
【発明の詳細な説明】
【技術分野】
【０００１】
本発明は、映像表示装置及び映像表示方法に関し、例えば複数の表示パネルを有するマルチパネル型（マルチスクリーン型）の映像表示装置に適用して好適なものである。
【背景技術】
【０００２】
従来、マルチパネル型の映像表示装置として、相互に隣接する複数の表示パネルを同一平面上に固定配置し、各表示パネルにそれぞれ別々の映像を表示する又は各表示パネルに全体として１つの映像を表示するようになされたものが提案されている（例えば特許文献１参照）。
【特許文献１】特開平８−２４１０５８号公報
【発明の開示】
【発明が解決しようとする課題】
【０００３】
ところでかかる構成の映像表示装置においては、各表示パネルに表示する映像の呈示状態を切り替えて表示形態を変化させることができるが、当該表示形態をより多様化することができれば映像表現性を向上することができるものと考えられる。
【０００４】
本発明は以上の点を考慮してなされたもので、映像表現性を向上し得る映像表示装置及び映像表示方法を提案しようとするものである。
【課題を解決するための手段】
【０００５】
かかる課題を解決するため本発明は、映像表示装置であって、複数の表示パネルと、各表示パネルをそれぞれ独立して変移自在に支持する支持手段と、支持手段を制御し、各表示パネルの位置を変更させる制御手段と、表示パネルに表示される映像又は当該映像に対応する音声に現れる特定用語を検出する検出手段とを有する。制御手段は、検出手段により特定用語が検出される表示パネルの位置を、他の表示パネルの表示パネルよりも前方向に変更させる。
また本発明は、映像表示装置であって、複数の表示パネルと、各表示パネルをそれぞれ独立して変移自在に支持する支持手段と、支持手段を制御し、各表示パネルの位置を変更させる制御手段と、表示パネルに表示される映像の番組視聴率をデータベースから取得する取得手段とを有する。制御手段は、取得手段により取得される番組視聴率が高いほど、該番組視聴率に対応する映像が表示される表示パネルの位置を手前に変更させる。
また本発明は、映像表示装置であって、複数の表示パネルと、各表示パネルをそれぞれ独立して変移自在に支持する支持手段と、支持手段を制御し、各表示パネルの位置を変更させる制御手段と、表示パネルに表示される映像のなかから規定時間単位で現れる頻度が最も高い文字列を検出する検出手段と、検出手段により検出される文字列の重要度又は新規度を指数データベースから取得する取得手段とを有する。制御手段は、取得手段により取得される重要度又は新規度が高いほど、規定時間単位で最も頻度が高い文字列が現れる映像が表示される表示パネルの位置を手前に変更させる。
【０００６】
また本発明は、映像表示方法であって、独立して変移自在に支持される複数の表示パネルに表示される映像又は当該映像に対応する音声に現れる特定用語を検出する第１のステップと、第１のステップで特定用語が検出される表示パネルの位置を、他の表示パネルの表示パネルよりも前方向に変更させる第２のステップとを有する。
また本発明は、映像表示方法であって、独立して変移自在に支持される複数の表示パネルに表示される映像の番組視聴率をデータベースから取得する第１のステップと、第１のステップで取得される番組視聴率が高いほど、該番組視聴率に対応する映像が表示される表示パネルの位置を手前に変更させる第２のステップとを有する。
また本発明は、映像表示方法であって、独立して変移自在に支持される複数の表示パネルに表示される映像のなかから規定時間単位で現れる頻度が最も高い文字列を検出する第１のステップと、第１のステップで検出される文字列の重要度又は新規度を指数データベースから取得する第２のステップと、第２のステップで取得される重要度又は新規度が高いほど、規定時間単位で最も頻度が高い文字列が現れる映像が表示される表示パネルの位置を手前に変更させる第３のステップとを有する。
【発明の効果】
【０００７】
以上のように本発明によれば、表示パネルに表示される映像又は当該映像に対応する音声に関する情報に基づいて、表示パネルの位置を表示パネル面と直交する方向に変更させるようにしたことにより、当該表示パネルに表示する映像の呈示状態を切り替えるまでもなく表示形態の多様化を図ることができ、かくして映像表現性を向上することができる。
【発明を実施するための最良の形態】
【０００８】
以下図面について、本発明の一実施の形態を詳述する。
【０００９】
（１）本実施の形態による映像表示装置の全体構成
（１−１）映像表示装置の全体構成
図１において、１は全体として本実施の形態によるマルチパネル型の映像表示装置を示し、壁面等でなる取付面２に複数の液晶ディスプレイ３（３Ａ〜３Ｉ）がそれぞれ別個のディスプレイ支持部４（４Ａ〜４Ｉ）を介してマトリクス状にかつ変動自在に取り付けられ、これら液晶ディスプレイ３及びディスプレイ支持部４がそれぞれケーブルを介して信号処理部５と接続されることにより構成されている。
【００１０】
この場合、信号処理部５は、液晶ディスプレイ３（３Ａ〜３Ｉ）に対して映像信号及び音声信号を供給することにより、これら液晶ディスプレイ３に映像及び音声を呈示させることができ、またディスプレイ支持部４（４Ａ〜４Ｉ）に対して制御コマンドを発行することにより、これらディスプレイ支持部４をそれぞれ独立に駆動させて液晶ディスプレイ３の位置及び向きを変動（以下、これを変移と呼ぶ）させることができるようになされている。
【００１１】
（１−２）液晶ディスプレイの構成
液晶ディスプレイ３（３Ａ〜３Ｉ）においては、図２に示すように、薄厚矩形状の筺体ＣＳ（ＣＳＡ〜ＣＳＩ）を有し、その前面中央部に液晶パネルＰＮ（ＰＮＡ〜ＰＮＩ）が設けられ、その下側にスピーカＳＰ（ＳＰＡ〜ＳＰＩ）が設けられている。
【００１２】
そして液晶ディスプレイ３（３Ａ〜３Ｉ）は、信号処理部５からケーブルを介して供給される映像信号に基づく映像を表示すると共に、音声信号に基づく音声をスピーカから出力し得るようになされている。
【００１３】
（１−３）ディスプレイ支持部の構成
ディスプレイ支持部４（４Ａ〜４Ｉ）においては、図３（Ａ）〜図３（Ｃ）に示すように、取付面２に固定された第１のアーム１１の開放端には第２のアーム１２の一端が第１のモータＭ１（ＭＡ１〜ＭＩ１）の出力軸ＨＳ１を介して回転自在に連結されている。
【００１４】
またこの第２のアーム１２の他端には第３のアーム１３の一端が第２のモータＭ２（ＭＡ２〜ＭＩ２）の出力軸ＨＳ２を介して回転自在に連結され、この第３のアーム１３の他端が第４のアーム１４の一端に第３のモータＭ３（ＭＡ３〜ＭＩ３）の出力軸ＨＳ３を介して回転自在に取り付けられている。さらにこの第４のアーム１４は液晶ディスプレイ３（３Ａ〜３Ｉ）の筺体ＣＳ（ＣＳＡ〜ＣＳＩ）の背面中央の固定板１５に一体形成されている。
【００１５】
これによりこのディスプレイ支持部４（４Ａ〜４Ｉ）は、第１のモータＭ１（ＭＡ１〜ＭＩ１）における出力軸ＨＳ１の回転駆動に応じて、当該出力軸ＨＳ１を支点として第１のアーム１１、第２のアーム１２、第３のアーム１３及び第４のアーム１４を通じて液晶ディスプレイ３（３Ａ〜３Ｉ）を上下方向に移動させることができ、また第３のモータＭ３（ＭＡ３〜ＭＩ３）における出力軸ＨＳ３の回転駆動に応じて、当該出力軸ＨＳ３を支点として第４のアーム１４を通じて液晶ディスプレイ３（３Ａ〜３Ｉ）をより小さく上下方向に移動させることができるようになされている。
【００１６】
さらにディスプレイ支持部４（４Ａ〜４Ｉ）は、第２のモータＭ２（ＭＡ２〜ＭＩ２）における出力軸ＨＳ２の回転駆動に応じて、当該出力軸ＨＳ２を支点として第２のアーム１２又は第３のアーム１３を通じて液晶ディスプレイ３（３Ａ〜３Ｉ）を前後方向に移動させることができるようになされている。
【００１７】
これに加えてディスプレイ支持部４（４Ａ〜４Ｉ）においては、第１のアーム１１の開放端と逆側の端部が第４のモータＭ４（ＭＡ４〜ＭＩ４）の出力軸ＨＳ４を介して回転自在に取り付けられ、またこの第４のアーム１４の他端が第５のモータＭ５（ＭＡ５〜ＭＩ５）の出力軸ＨＳ５を介して回転自在に取り付けられている。
【００１８】
これによりディスプレイ支持部４（４Ａ〜４Ｉ）は、第４のモータＭ４（ＭＡ４〜ＭＩ４）における出力軸ＨＳ４の回転駆動に応じて、当該出力軸ＨＳ４を支点として第１のアーム１１、第２のアーム１２、第３のアーム１３及び第４のアーム１４を通じて液晶ディスプレイ３（３Ａ〜３Ｉ）を左右方向に移動させることができ、また第５のモータＭ５（ＭＡ５〜ＭＩ５）における出力軸ＨＳ５の回転駆動に応じて、当該出力軸ＨＳ５を支点として第４のアーム１４を通じて液晶ディスプレイ３（３Ａ〜３Ｉ）をより小さく左右方向に移動させることができるようになされている。
【００１９】
このようにしてディスプレイ支持部４（４Ａ〜４Ｉ）は、液晶ディスプレイ３（３Ａ〜３Ｉ）を上下方向、左右方向及び前後方向の３次元空間上に移動させることができ、かくして液晶ディスプレイ３（３Ａ〜３Ｉ）を変移自在に支持することができるようになされている。
【００２０】
なお、このディスプレイ支持部４（４Ａ〜４Ｉ）における第１〜第５の各モータＭ（ＭＡ１〜ＭＩ１、……、ＭＩ１〜ＭＩ５）には、ポテンショメータ等のセンサがそれぞれ取り付けられており、当該モータＭは、このセンサにより第１〜第４のアーム１１から４間における角度を検出することができるようになされている。
【００２１】
（１−４）信号処理部の構成
信号処理部５は、図４に示すように、この映像表示装置１全体を統合的に制御する統合制御部２０と、テレビジョン放送を受信する複数のテレビジョン放送受信部３０（３０Ａ〜３０Ｉ）と、これらテレビジョン放送受信部３０での受信結果として得られる映像信号及び音声信号を複数の液晶ディスプレイ３（３Ａ〜３Ｉ）に分配する分配器４０と、当該テレビジョン放送受信部３０（３０Ａ〜３０Ｉ）の受信結果から各種情報を取得する情報取得部５０（５０Ａ〜５０Ｉ）とによって構成される。
【００２２】
統合制御部２０は、ＧＰＳ(Global Positioning System)受信機（図示せず）が搭載されたリモートコントローラ（以下、これをリモコンと呼ぶ）ＲＣから送信される赤外線信号Ｓ１を赤外線受光部２１で受光し、当該赤外線受光部２１での光電変換結果として得られる操作命令信号ＳＣＯＭ又は位置信号ＲＰを表示形態制御部２２に送出する。
【００２３】
この表示形態制御部２２には内部メモリが搭載されており、この内部メモリには各種プログラム、予め設定されたモータＭ（ＭＡ１〜ＭＩ１、……、ＭＩ１〜ＭＩ５（図３））の角度情報及び液晶ディスプレイ３（３Ａ〜３Ｉ）の筺体ＣＡ（図２）サイズ情報が格納されている。
【００２４】
また表示形態制御部２２は、テレビジョン放送局で放送される各種番組の番組視聴率や、当該番組で使用される用語等の重要度や新しさの度合い（以下、これを新規度と呼ぶ）を表す指数等の情報群を管理する管理データベースＤＢに通信部２４を介してアクセスし得るようになされている。
【００２５】
さらに表示形態制御部２２は、情報取得部５０（５０Ａ〜５０Ｉ）に通信部２４を介してアクセスし、当該情報取得部５０で取得された各種情報を取得し得るようにもなされている。
【００２６】
そして表示形態制御部２２は、内部メモリに格納された各種プログラムに従って、赤外線受光部２１から操作命令信号ＳＣＯＭや位置信号ＲＰを取得し、内部メモリからモータＭ（ＭＡ１〜ＭＩ１、……、ＭＩ１〜ＭＩ５（図３））の角度情報を読み出し、管理データベースＤＢにアクセスし、又は情報取得部５０から各種情報を取得する。
【００２７】
このとき表示形態制御部２２は、取得した情報に応じて、放送波におけるチャンネルを決定し、分配器４０に対する信号配分を決定し、あるいはディスプレイ支持部４の各モータＭ（図３）における角度を決定し、当該決定結果を命令信号Ｓ２としてコマンド変換部２３に送出する。
【００２８】
コマンド変換部２３は、表示形態制御部２２から供給される命令信号Ｓ２が放送波におけるチャンネルであった場合には、当該チャンネルに選局させる選局制御コマンドＣＯＭ１を生成し、これをテレビジョン放送受信部３０に発行する。
【００２９】
またコマンド変換部２３は、命令信号Ｓ２が分配器４０に対する信号配分であった場合には、当該信号配分となるように分配させる分配制御コマンドＣＯＭ２を生成し、これを分配器４０に発行する。
【００３０】
さらにコマンド変換部２３は、命令信号Ｓ２がディスプレイ支持部４の各モータＭ（図３）における角度であった場合には、当該角度を、ディスプレイ支持部４（４Ａ〜４Ｉ）を動作させる動作制御コマンドＣＯＭ３として生成し、当該動作制御コマンドＣＯＭ３をモータ制御部６０（６０Ａ〜６０Ｉ）にそれぞれ発行する。
【００３１】
このようにして統合制御部２０は、テレビジョン放送受信部３０、分配器４０及びモータ制御部６０を制御することができるようになされている。
【００３２】
一方、テレビジョン放送受信部３０（３０Ａ〜３０Ｉ）は、アンテナＡＮＴでの受信結果として得られるテレビジョン放送波を、液晶ディスプレイ３（３Ａ〜３Ｉ）にそれぞれ対応する受信部３０（３０Ａ〜３０Ｉ）のチューナ３１（３１Ａ〜３１Ｉ）に送出する。
【００３３】
チューナ３１（３１Ａ〜３１Ｉ）は、供給されるテレビジョン放送波のなかから選局制御コマンドＣＯＭ１に対応するテレビジョン放送波Ｓ１１（Ｓ１１Ａ〜Ｓ１１Ｉ）を抽出し、これをデスクランブル３２（３２Ａ〜３２Ｉ）に送出する。
【００３４】
デスクランブル３２（３２Ａ〜３２Ｉ）は、テレビジョン放送波Ｓ１１（Ｓ１１Ａ〜Ｓ１１Ｉ）に対して所定の復調処理、誤り訂正処理及びデスクランブル処理を順次施し、かくして得られたテレビジョン放送データＤ１１（Ｄ１１Ａ〜Ｄ１１Ｉ）をデマルチプレクサ３３（３３Ａ〜３３Ｉ）に送出する。
【００３５】
デマルチプレクサ３３（３３Ａ〜３３Ｉ）は、テレビジョン放送データＤ１１（Ｄ１１Ａ〜Ｄ１１Ｉ）を音声データＤ１２（Ｄ１２Ａ〜Ｄ１２Ｉ）、映像データＤ１３（Ｄ１３Ａ〜Ｄ１３Ｉ）及びメタデータＤ１４（Ｄ１４Ａ〜Ｄ１４Ｉ）にそれぞれ分離し、これらを対応するオーディオデコーダ３４（３４Ａ〜３４Ｉ）、ビデオデコーダ３５（３５Ａ〜３５Ｉ）及び情報取得部５０（５０Ａ〜５０Ｉ）にそれぞれ送出する。
【００３６】
オーディオデコーダ３４（３４Ａ〜３４Ｉ）は、音声データＤ１２（Ｄ１２Ａ〜Ｄ１２Ｉ）に対して所定の符号化方式に準拠した復号化処理を施し、かくして得られた音声フレームデータＤ１５（Ｄ１５Ａ〜Ｄ１５Ｉ）をＤ／Ａ(Digital/Analog)変換部３７（３７Ａ〜３７Ｉ）を介して音声信号Ｓ２０（Ｓ２０Ａ〜Ｓ２０Ｉ）として分配器４０に送出する。
【００３７】
ビデオデコーダ３５（３５Ａ〜３５Ｉ）は、映像データＤ１３（Ｄ１３Ａ〜Ｄ１３Ｉ）に対して所定の符号化方式に準拠した復号化処理を施し、かくして得られた映像フレームデータＤ１６（Ｄ１６Ａ〜Ｄ１６Ｉ）をＮＴＳＣ(National Television System Committee)エンコーダ３８（３８Ａ〜３８Ｉ）に送出する。
【００３８】
ＮＴＳＣエンコーダ３８（３８Ａ〜３８Ｉ）は、映像フレームデータＤ１６（Ｄ１６Ａ〜Ｄ１６Ｉ）に対してＮＴＳＣ方式に準拠した変換処理を施し、かくして得られた輝度色差信号をＤ／Ａ変換部３９（３９Ａ〜３９Ｉ）を介して映像信号Ｓ２１（Ｓ２１Ａ〜Ｓ２１Ｉ）として分配器４０に送出する。
【００３９】
分配器４０は、コマンド変換部２３から供給される分配制御コマンドＣＯＭ２に基づいて、テレビジョン放送受信部３０（３０Ａ〜３０Ｉ）から供給される音声信号Ｓ２０（Ｓ２０Ａ〜Ｓ２０Ｉ）を例えば対応する液晶ディスプレイ３（３Ａ〜３Ｉ）のスピーカＳＰ（ＳＰＡ〜ＳＰＩ）に送出すると共に、映像信号Ｓ２１（Ｓ２１Ａ〜Ｓ２１Ｉ）を例えば対応する液晶ディスプレイ３（３Ａ〜３Ｉ）の液晶パネルＰＮ（ＰＮＡ〜ＰＮＩ）に送出する。
【００４０】
この結果、スピーカＳＰ（ＳＰＡ〜ＳＰＩ）からは音声信号Ｓ２０（Ｓ２０Ａ〜Ｓ２０Ｉ）に基づく音声が出力されると共に、液晶パネルＰＮ（ＰＮＡ〜ＰＮＩ）には当該音声信号Ｓ２０（Ｓ２０Ａ〜Ｓ２０Ｉ）に対応する映像信号Ｓ２１（Ｓ２１Ａ〜Ｓ２１Ｉ）に基づく映像が表示される。
【００４１】
このようにしてテレビジョン放送受信部３０（３０Ａ〜３０Ｉ）は、各液晶ディスプレイ３（３Ａ〜３Ｉ）を介して番組の映像及び音声を呈示することができるようになされている。
【００４２】
他方、情報取得部５０（５０Ａ〜５０Ｉ）は、図５に示すように、映像フレームデータＤ１６（Ｄ１６Ａ〜Ｄ１６Ｉ）のフレーム画像の中央に有する人顔の大きさ（以下、これを人顔サイズと呼ぶ）を計測するオブジェクト計測部５１、当該フレーム画像に有する所定の文字列を抽出する文字列抽出部５２、音声フレームデータＤ１５（Ｄ１５Ａ〜Ｄ１５Ｉ）の音声から予め内部メモリに登録された特定用語を検出する音声検出部５３、メタデータＤ１４（Ｄ１４Ａ〜Ｄ１４Ｉ）からこの映像表示装置１に特化したメタデータ（以下、これを特化メタデータと呼ぶ）を抽出するメタデータ抽出部５４及び通信処理部５５によって構成されている。
【００４３】
このオブジェクト計測部５１は、ビデオデコーダ３５（３５Ａ〜３５Ｉ（図４））から供給される映像フレームデータＤ１６（Ｄ１６Ａ〜Ｄ１６Ｉ）を所定フレーム単位ごとに、フレーム画像の中央領域における人顔サイズを情報（以下、これを人顔サイズ情報と呼ぶ）Ｄ２１（Ｄ２１Ａ〜Ｄ２１Ｉ）として通信処理部５５に順次送出するようになされている。
【００４４】
実際上、オブジェクト計測部５１は、映像フレームデータＤ１６（Ｄ１６Ａ〜Ｄ１６Ｉ）がビデオデコーダ３５（３５Ａ〜３５Ｉ（図４））から供給されると、図６に示すオブジェクト計測処理手順ＲＴ１をステップＳＰ０において開始し、続くステップＳＰ１に進んで、映像フレームデータＤ１６（Ｄ１６Ａ〜Ｄ１６Ｉ）のフレーム画像をＨＳＶ変換し、この後ステップＳＰ２に進んで、当該ＨＳＶ変換の結果得られる色相(Hue)データ、彩度(Saturation) データ及び明度(Value) データのうち、色相データのフレーム画像から色相環の０度〜３０度に相当する部分（以下、これを人肌系部分と呼ぶ）を抽出する。
【００４５】
そしてオブジェクト計測部５１は、続くステップＳＰ３に進んで、この人肌系部分を抽出してなるフレーム画像を「５×５」の領域に等分割し、当該等分割された各領域のうち中心の「３×３」に対応する領域の人肌系部分の画素数を計測し、この後ステップＳＰ４進んで、当該画素数を人顔サイズ情報Ｄ２１（Ｄ２１Ａ〜Ｄ２１Ｉ）として通信処理部５５に送出した後、ステップＳＰ５に進んでこのオブジェクト計測処理手順ＲＴ１を終了する。
【００４６】
このようにしてオブジェクト計測部５１は、所定フレーム単位ごとに人顔サイズ情報Ｄ２１（Ｄ２１Ａ〜Ｄ２１Ｉ）として順次通信処理部５５に送出することができるようになされている。
【００４７】
文字列抽出部５２は、ビデオデコーダ３５（３５Ａ〜３５Ｉ（図４））から供給される映像フレームデータＤ１６（Ｄ１６Ａ〜Ｄ１６Ｉ）を予め規定された期間（以下、これを規定期間と呼ぶ）ごとに、フレーム画像中に現れる文字列の頻度数が最も多い文字列をトピック情報Ｄ２３（Ｄ２３Ａ〜Ｄ２３Ｉ）として通信処理部５５に順次送出するようになされている。
【００４８】
実際上、文字列抽出部５２は、ビデオデコーダ３５（３５Ａ〜３５Ｉ（図４））から映像フレームデータＤ１６（Ｄ１６Ａ〜Ｄ１６Ｉ）が供給されると、図７に示す文字列抽出処理手順ＲＴ２をステップＳＰ１０において開始し、続くステップＳＰ１１に進んで、映像フレームデータＤ１６（Ｄ１６Ａ〜Ｄ１６Ｉ）のフレーム画像からテロップを抽出し、この後ステップＳＰ１２に進んで、当該抽出したテロップを所定単位の文字列ごとに分割した後、ステップＳＰ１３に進んで、これら文字列が予め内部メモリに登録された例えば「緊急」、「地震」又は「速報」等の特定用語の文字列と一致するか否かを判定する。
【００４９】
ここで否定結果が得られると、文字列抽出部５２は、続くステップＳＰ１４に進んで、ステップＳＰ１２で分割した各文字列を内部メモリ（図示せず）に記憶する。これに対して肯定結果が得られると、文字列抽出部５２は、ステップＳＰ１５に進んで、当該特定用語を検出したことを検出通知情報Ｄ２２（Ｄ２２Ａ〜Ｄ２２Ｉ）として生成し、これを通信処理部５５に送出し、この後ステップＳＰ１４に進んで、ステップＳＰ１２で分割した各文字列を内部メモリに記憶する。
【００５０】
そして文字列抽出部５２は、続くステップＳＰ１６に進んで、規定期間が経過したか否かを判定し、否定結果が得られた場合にはステップＳＰ１１に戻って上述の処理を繰り返す。
【００５１】
これに対して文字列抽出部５２は、ステップＳＰ１３において肯定結果が得られた場合には、ステップＳＰ１７に進んで、ステップＳＰ１４で内部メモリに記憶した複数の文字列を読み出し、当該読み出した文字列のなかで最も出現頻度の多い文字列を現時点でのトピック情報Ｄ２３（Ｄ２３Ａ〜Ｄ２３Ｉ）として通信処理部５５に送出した後、ステップＳＰ１８に進んでこの文字列抽出処理手順ＲＴ２を終了する。
【００５２】
このようにして文字列抽出部５２は、規定期間ごとにフレーム画像中に現れる文字列の頻度数が最も多い文字列をトピック情報Ｄ２３（Ｄ２３Ａ〜Ｄ２３Ｉ）として順次通信処理部５５に送出することができるようになされている。
【００５３】
音声検出部５３は、オーディオデコーダ３４（３４Ａ〜３４Ｉ（図４））から供給される音声フレームデータＤ１５（Ｄ１５Ａ〜Ｄ１５Ｉ）を所定フレーム単位ごとに音声認識するようになされており、当該認識した音声に、例えば「ホームラン」又は「ゴール」等の特定用語が含まれている場合には、当該特定用語を検出したことを検出通知情報Ｄ２４（Ｄ２４Ａ〜Ｄ２４Ｉ）として生成し、これを通信処理部５５に送出する。
【００５４】
メタデータ抽出部５４は、デマルチプレクサ３３（３３Ａ〜３３Ｉ（図４））から供給されるメタデータＤ１４（Ｄ１４Ａ〜Ｄ１４Ｉ）から特化メタデータＤ２５（Ｄ２５Ａ〜Ｄ２５Ｉ）を抽出し、これを通信処理部５５に送出する。
【００５５】
このようにこの情報取得部５０（５０Ａ〜５０Ｉ）は、メタデータＤ１４（Ｄ１４Ａ〜Ｄ１４Ｉ）、音声フレームデータＤ１５（Ｄ１５Ａ〜Ｄ１５Ｉ）及び映像フレームデータＤ１６（Ｄ１６Ａ〜Ｄ１６Ｉ）に基づいて、各種情報Ｄ２１（Ｄ２１Ａ〜Ｄ２１Ｉ）〜Ｄ２５（Ｄ２５Ａ〜Ｄ２５Ｉ）を取得することができるようになされている。
【００５６】
さらに、信号処理部５のモータ制御部６０（６０Ａ〜６０Ｉ）は、ディスプレイ支持部４（４Ａ〜４Ｉ）に対応して設けられており、当該モータ制御部６０の内部メモリにはモータ制御プログラム、液晶ディスプレイ３（３Ａ〜３Ｉ）における筺体ＣＡ（図２）サイズ情報や、当該モータ制御部６０（６０Ａ〜６０Ｉ）の優先順序のテーブル（以下、これをモータ優先順序テーブルと呼ぶ）が格納されている。
【００５７】
そしてモータ制御部６０（６０Ａ〜６０Ｉ）は、必要に応じて筺体ＣＡ（図２）サイズ情報を用いて、又はモータ優先順序テーブルを参照して、コマンド変換部２３から供給される動作制御コマンドＣＯＭ３（各モータＭ（図３）の角度）に従って対応するディスプレイ支持部４（４Ａ〜４Ｉ）をそれぞれ独立に制御することにより駆動させるようになされている。
【００５８】
実際上、モータ制御部６０（６０Ａ〜６０Ｉ）は、動作制御コマンドＣＯＭ３が与えられると、図８に示すモータ制御処理手順ＲＴ３をステップＳＰ２０において開始し、続くステップＳＰ２１に進んで、現時点でのアーム間における連結角度の通知命令をデータ（以下、これを角度通知命令データと呼ぶ）Ｄ３０（Ｄ３０Ａ１〜Ｄ３０Ａ５、……、Ｄ３０Ｉ１〜Ｄ３０Ｉ５）として対応するモータＭ（ＭＡ１〜ＭＡ５、……、ＭＩ１〜ＭＩ５）に送出する。
【００５９】
この場合、図３に示したように、モータＭＡ１〜ＭＩ１ではアーム１１及び１２間における上下方向の連結角度が、モータＭＡ２〜ＭＩ２ではアーム１２及び１３間における上下方向の連結角度が、モータＭＡ３〜ＭＩ３ではアーム１３及び１４間における上下方向の連結角度が、モータＭＡ４〜ＭＩ４ではアーム１１及び１２間における左右方向の連結角度が、モータＭＡ５〜ＭＩ５ではアーム１３及び１４間における上下方向の連結角度がそれぞれ連結角度データＤ３１Ａ１〜Ｄ３１Ｉ１、Ｄ３１Ａ２〜Ｄ３１Ｉ２、……、Ｄ３１Ａ５〜Ｄ３１Ｉ５（図４）として送出される。
【００６０】
そしてモータ制御部６０（６０Ａ〜６０Ｉ）は、ステップＳＰ２２において、角度通知命令データＤ３０の応答結果としてモータＭ（ＭＡ１〜ＭＡ５、……、ＭＩ１〜ＭＩ５）から供給される連結角度データＤ３１（Ｄ３１Ａ１〜Ｄ３１Ａ５、……、Ｄ３１Ｉ１〜Ｄ３１Ｉ５）を取得し、続くステップＳＰ２３に進んで、当該連結角度データＤ３１の角度と動作制御コマンドＣＯＭ３の対応する角度との角度差をそれぞれ算出し、この後ステップＳＰ２４に進んで、当該算出した各角度差のいずれか１つでも差がある（「０」ではない）か否かを判定する。
【００６１】
ここで肯定結果が得られると、このことはモータＭ（ＭＡ１〜ＭＡ５、……、ＭＩ１〜ＭＩ５）を制御する必要があることを意味し、このときモータ制御部６０（６０Ａ〜６０Ｉ）は、続くステップＳＰ２５に進んで、ステップＳＰ２３で算出した各角度差に基づいてモータ制御量を算出し、この後ステップＳＰ２６に進んで、この算出結果をモータ制御データＤ３２（Ｄ３２Ａ１〜Ｄ３２Ａ５、……、Ｄ３２Ｉ１〜Ｄ３２Ｉ５）として対応するモータＭ（ＭＡ１〜ＭＡ５、……、ＭＩ１〜ＭＩ５）に送出するようにして制御した後、ステップＳＰ２７に進んでこのモータ制御処理手順ＲＴ３を終了する。
【００６２】
これに対してステップＳＰ２４において否定結果が得られると、このことはモータＭ（ＭＡ１〜ＭＡ５、……、ＭＩ１〜ＭＩ５）を制御する必要がないことを意味し、このときモータ制御部６０（６０Ａ〜６０Ｉ）は、ステップＳＰ２７に進んでこのモータ制御処理手順ＲＴ３を終了する。
【００６３】
このようにしてモータ制御部６０（６０Ａ〜６０Ｉ）は、動作制御コマンドＣＯＭに従ってディスプレイ支持部４（４Ａ〜４Ｉ）をそれぞれ独立に制御することにより、当該ディスプレイ支持部４を介して液晶ディスプレイ３（３Ａ〜３Ｉ）を変移させることができるようになされている。
【００６４】
これに加えてこのモータ制御部６０（６０Ａ〜６０Ｉ）は、連結角度データＤ３１及び動作制御コマンドＣＯＭ３の角度差に基づいてモータ制御量を算出したとき（ステップＳＰ２５）、当該モータ制御量を必要に応じて補正するようになされている。
【００６５】
具体的に例えばモータ制御部６０Ａは、かかるモータ制御量を算出すると、サブルーチンとして図９に示すモータ制御量補正処理手順ＲＴ４をステップＳＰ３０において開始し、続くステップＳＰ３１に進んで、内部メモリから読み出した液晶ディスプレイ３Ａにおける筺体ＣＡ（図２）サイズ情報と、当該液晶ディスプレイ３ＡのモータＭＡ１〜ＭＡ５における制御前の連結角度（連結角度データＤ３１Ａ１〜Ｄ３１Ａ５）及び制御後の連結角度（動作制御コマンドＣＯＭ３）とに基づいて液晶ディスプレイ３Ａの移動軌跡ＬＯＡを求める。
【００６６】
そしてモータ制御部６０Ａは、続くステップＳＰ３２に進んで、他のモータ制御部６０Ｂ〜６０ＩでステップＳＰ３１と同様にして求められた液晶ディスプレイ３Ｂ〜３Ｉにおける移動軌跡ＬＯＢ〜ＬＯＩを取得し、この後ステップＳＰ３３に進んで、これら移動軌跡ＬＯＢ〜ＬＯＩが自身の移動軌跡ＬＯＡと重複するか否かを判定する。
【００６７】
ここで否定結果が得られると、モータ制御部６０Ａは、上述のステップＳＰ２６（図８）に進んで、ステップＳＰ２５で算出したモータ制御量だけモータＭＡ１〜ＭＡ５を制御する。
【００６８】
これに対して肯定結果が得られると、モータ制御部６０Ａは、続くステップＳＰ３４に進んで、自身の移動軌跡ＬＯＡと重複している例えば移動軌跡ＬＯＩに対応するモータ制御部６０Ｉよりも優先度が高いか否かを、内部メモリに格納されたモータ優先順序テーブルを参照して判定し、当該優先度が高い判定結果が得られた場合にも、上述のステップＳＰ２６（図８）に進んで、ステップＳＰ２５で算出したモータ制御量だけモータＭＡ１〜ＭＡ５を制御する。
【００６９】
一方、モータ制御部６０Ａは、優先度が低い判定結果が得られた場合には、続くステップＳＰ３５に進んで、ステップＳＰ２５（図８）で算出したモータ制御量に代えて、液晶ディスプレイ３Ｉの移動軌跡ＬＯＩを避けて移動するようにモータＭＡ１〜ＭＡ５に対するモータ制御量を再算出するようにして補正した後、上述のステップＳＰ２６（図８）に進んで、当該再算出したモータ制御量だけモータＭＡ１〜ＭＡ５を制御する。
【００７０】
なお、モータ制御部６０Ｂ〜６０Ｉについてもモータ制御部６０Ａと同様にしてこのモータ制御量補正処理手順ＲＴ４に従ったモータ制御量補正処理を実行する。
【００７１】
このようにしてモータ制御部６０（６０Ａ〜６０Ｉ）は、制御前及び制御後の液晶ディスプレイ３（３Ａ〜３Ｉ）の移動軌跡ＬＯ（ＬＯＡ〜ＬＯＩ）が重複する場合に、優先度に応じてモータＭ（ＭＡ１〜ＭＡ５……、ＭＩ１〜ＭＩ５）のモータ制御量を補正することにより、当該液晶ディスプレイ３同士の衝突を未然に回避することができるようになされている。
【００７２】
（２）動作モード
かかる構成に加えてこの信号処理部５には、液晶ディスプレイ３（３Ａ〜３Ｉ）が所定の変移状態となるようにディスプレイ支持部４（４Ａ〜４Ｉ）を動作させる各種動作モードが用意されている。
【００７３】
この実施の形態の場合、ディスプレイ支持部４（４Ａ〜４Ｉ）を上下、左右及び前後方向の３次元空間上に動作させる動作モードとして、視聴者の操作に応じて又は予め設定された動作パターンに動作させる動作モード（以下、これを単純動作モードと呼ぶ）と、例えば図１０に示すように、リモートコントローラ（以下、これを単にリモコンと呼ぶ）ＲＣに追尾させる動作モード（以下、これを追尾動作モードと呼ぶ）とが用意されている。
【００７４】
また、例えば図１１に示すように、ディスプレイ支持部４（４Ａ〜４Ｉ）を前後方向の空間上にのみ動作させる動作モードとして、液晶ディスプレイ３Ａ〜３Ｉに表示される映像の重要度に応じて動作させる動作モード（以下、これを重要度順動作モードと呼ぶ）、当該映像の新しさに応じて動作させる動作モード（以下、これを新規順動作モードと呼ぶ）、当該映像内におけるオブジェクトの大きさに応じて動作させる動作モード（以下、これをオブジェクトサイズ順動作モードと呼ぶ）、当該映像の視聴率順に応じて動作させる動作モード（以下、これを視聴率順動作モードと呼ぶ）及び当該映像又は音声に特定用語が現れた場合に動作させるモード（以下、これを特定用語出現時動作モードと呼ぶ）がそれぞれ用意されている。
【００７５】
さらに、例えば図１２に示すように、液晶ディスプレイ３（３Ａ〜３Ｉ）のいずれかに表示される映像内におけるオブジェクトの形状に近似するようにディスプレイ支持部４（４Ａ〜４Ｉ）を動作させる動作モード（以下、これを形状近似動作モードと呼ぶ）が用意されている。
【００７６】
そしてこの信号処理部５では、これら８つの動作モードをリモコンＲＣから選択操作することができるようになされている。
【００７７】
このリモコンＲＣは、図１３に示すように、当該動作モードに対応付けられた各種実行ボタン及び動作モード終了ボタンからなる第１の操作部（以下、これを動作モード選択操作部と呼ぶ）ＯＰ１と、表示形態制御部２２（図４）の内部メモリに格納されたモータＭそれぞれの角度が標準の動作パターン（以下、これを標準動作パターンと呼ぶ）として対応付けられたプリセットボタン及び当該角度が視聴者によって選定された動作パターン（以下、これを選定動作パターンと呼ぶ）として対応付けられる視聴者選定ボタンからなる第２の操作部（以下、これを動作パターン選択操作部と呼ぶ）ＯＰ２と、液晶ディスプレイ３Ａ〜３Ｉに対応付けられた各種選択ボタンからなる第３の操作部（以下、これをディスプレイ選択操作部と呼ぶ）ＯＰ３と、電源投入ボタン、選局ボタン及び音量調整ボタン等の各種ボタンを有する第４の操作部（以下、これを通常ＴＶ(Television)選択操作部と呼ぶ）ＯＰ４と、十字方向及び上下方向に移動自在の操縦部ＬＶとによって構成される。
【００７８】
この操縦部ＬＶにおいては、ディスプレイ支持部４（４Ａ〜４Ｉ）における上下方向及び左右方向にそれぞれ十字方向が対応付けられていると共に、ディスプレイ支持部４（４Ａ〜４Ｉ）による液晶ディスプレイ３（３Ａ〜３Ｉ）の前後方向に上下方向が対応付けられており、これにより液晶ディスプレイ３（３Ａ〜３Ｉ）を上下、左右及び前後方向の３次元空間上に移動させ得るようになされている。
【００７９】
実際上、このリモコンＲＣは、図１４に示すように、かかる動作モードが選択されるまで待ち受けるようになされており、「単純動作モード」の実行ボタンが押下された場合には、当該単純動作モードを実行すべき旨の操作命令信号ＳＣＯＭ（図４）を送信した後、操縦部ＬＶ（図１３）の操縦あるいは動作パターン選択操作部ＯＰ２（図１３）のプリセットボタン又は視聴者選定ボタンの押下を待ち受ける。
【００８０】
ここで視聴者は、ディスプレイ選択操作部ＯＰ３（図１３）の選択ボタンを押下して液晶ディスプレイ３Ａ〜３Ｉ（図１）のいずれかを選択した後、当該選択した液晶ディスプレイ３を操縦部ＬＶ（図１３）で操縦して液晶ディスプレイ３（３Ａ〜３Ｉ）を移動させるか、あるいは、動作パターン選択操作部ＯＰ２（図１３）における所望のプリセットボタン又は視聴者選定ボタンを押下して対応する動作パターンに液晶ディスプレイ３（３Ａ〜３Ｉ）を移動させ得るようになされている。
【００８１】
そしてリモコンＲＣは、操縦部ＬＶが操作された場合、所定単位時間ごとに操縦部ＬＶの操縦方向を検出し、当該操縦方向及び移動対象の液晶ディスプレイ３Ａ、３Ｂ、……、又は３Ｉを操作命令信号ＳＣＯＭ（図４）として生成し、これを赤外線に重畳することにより赤外線信号Ｓ１として送信する。これに対してリモコンＲＣは、プリセットボタン又は視聴者選定ボタンが押下された場合、当該ボタンに割り当てられた番号を操作命令信号ＳＣＯＭ（図４）として生成し、これを赤外線信号Ｓ１として送信する。
【００８２】
またリモコンＲＣは、「追尾動作モード」の実行ボタンが押下された場合には、当該追尾動作モードを実行すべき旨の操作命令信号ＳＣＯＭ（図４）を送信すると共に、当該送信時から所定単位時間ごとに、内部に搭載されたＧＰＳ受信機ＲＥＳの受信結果をリモコンＲＣの位置信号ＲＰ（図４）として生成し、これを赤外線信号Ｓ１として送信する。
【００８３】
さらにリモコンＲＣは、「重要度順動作モード」、「新規順動作モード」、「視聴率順動作モード」、「オブジェクトサイズ順動作モード」、「特定用語出現時動作モード」又は「形状近似動作モード」の実行ボタンが押下された場合には、当該押下された実行ボタンに対応する動作モードを実行すべき旨の操作命令信号ＳＣＯＭ（図４）を生成し、これを赤外線信号Ｓ１として送信するようになされている。
【００８４】
なお、このリモコンＲＣにおいては、動作モードの終了ボタンが押下された場合には、このとき実行している動作モードを終了させ得るようになされている。
【００８５】
またこのリモコンＲＣにおいては、「単純動作モード」の実行ボタンを押下せずに動作パターン選択操作部ＯＰ２の視聴者選定ボタンを押下した場合、当該押下時におけるモータＭ（ＭＡ１〜ＭＡ５、……、ＭＩ１〜ＭＩ５）それぞれの角度を、このとき押下された視聴者選定ボタンに選定動作パターンとして新規に作成又は更新するようにして表示形態制御部２２の内部メモリに格納させ得るようになされており、これにより視聴者の嗜好やこの映像表示装置１の設置環境に応じて液晶ディスプレイ３（３Ａ〜３Ｉ）の変移状態をパターン化することができるようになされている。
【００８６】
さらにこのリモコンＲＣにおいては、ディスプレイ選択操作部ＯＰ３（図１３）の選択ボタンを押下して液晶ディスプレイ３Ａ〜３Ｉ（図１）のいずれかを選択した後、当該選択した液晶ディスプレイ３の選局や音量調整等を通常ＴＶ選択操作部ＯＰ４（図１３）の対応するボタンの押下により実行させ得るようにもなされている。
【００８７】
一方、この場合、表示形態制御部２２は、リモコンＲＣから赤外線受光部２１を介して操作命令信号ＳＣＯＭを受けると、図１５に示す動作モード処理手順ＲＴ５に従って動作モード処理を実行することにより、液晶ディスプレイ３（３Ａ〜３Ｉ）の状態を適応的に変移させるようにディスプレイ支持部４（４Ａ〜４Ｉ）を制御する。
【００８８】
すなわち表示形態制御部２２は、赤外線受光部２１から操作命令信号ＳＣＯＭを受けると、この動作モード処理手順ＲＴ５をステップＳＰ４０において開始し、続くステップＳＰ４１に進んで、当該操作命令信号ＳＣＯＭの命令内容（動作モード）を解析し、この解析結果に対応する動作モードプログラムを内部メモリから読み出してロードし、この後サブルーチンＳＲＴに進んで、このときロードした動作モードに応じた動作モード処理を実行する。
【００８９】
そして表示形態制御部２２は、続くステップＳＰ４２に進んで、動作モードを終了命令をリモコンＲＣから赤外線受光部２１を介して受けたか否かを判定し、ここで否定結果が得られた場合にはサブルーチンＳＲＴに戻って引き続き動作モード処理を実行し、これに対して肯定結果が得られた場合にはステップＳＰ４３に進んでこの動作モード処理手順ＲＴ５を終了するようになされている。
【００９０】
（２−１）単純動作モード
実際上、表示形態制御部２２は、動作モード処理手順ＲＴ５のステップＳＰ４１（図１５）で単純動作モードプログラムがロードされた場合、サブルーチンＳＲＴとして図１６に示す単純動作モード処理手順ＳＲＴ１をステップＳＰ５０において開始し、続くステップＳＰ５１に進んで、リモコンＲＣから赤外線受光部２１を介して供給される操作命令信号ＣＯＭを取得し、この後ステップＳＰ５２に進んで、当該操作命令信号ＣＯＭの命令内容が操縦部ＬＶ（図１３）に関するものか否かを判定する。
【００９１】
ここで肯定結果が得られると、このことは操作命令信号ＣＯＭの命令内容が操縦部ＬＶ（図１３）の操縦方向及び移動対象として例えば液晶ディスプレイ３Ａであることを意味し、このとき表示形態制御部２２は、ステップＳＰ５３に進んで、液晶ディスプレイ３Ａが当該操縦方向に所定量だけ変移するようにモータＭＡ１〜ＭＡ５（図３）の角度を決定し、続くステップＳＰ５４に進んで、当該角度をコマンド変換部２３を介して動作制御コマンドＣＯＭ３としてモータ制御部６０Ａに発行する。
【００９２】
この結果、このモータ制御部６０Ａでの動作制御コマンドＣＯＭ３に基づくモータ制御処理（図８）により対応するモータＭＡ１〜ＭＡ５が駆動され、当該モータＭＡ１〜ＭＡ５に連結されたアーム１１〜１４（図２）を介して液晶ディスプレイ３Ａが視聴者による操縦部ＬＶ（図１３）の操縦に応じて変移することとなる。
【００９３】
そして表示形態制御部２２は、かかる動作制御コマンドＣＯＭ３の発行後、動作モード処理手順ＲＴ５のステップＳＰ４１（図１５）で動作モードの終了命令を受けるまでステップＳＰ５０〜ＳＰ５４のループを繰り返すことにより、視聴者による操縦部ＬＶ（図１３）の操縦に応じて液晶ディスプレイ３Ａを変移させ続ける。
【００９４】
従って表示形態制御部２２は、視聴者の意図に応じて液晶ディスプレイ３Ａの変移状態を適宜変化させることができ、かくして視聴者の意図に応じた表示形態を表現することができるようになされている。
【００９５】
これに対してステップＳＰ５２において否定結果が得られると、このことは操作命令信号ＣＯＭの命令内容が動作パターン選択操作部ＯＰ２（図１３）のプリセットボタン又は視聴者選定ボタンに割り当てられた番号であることを意味し、このとき表示形態制御部２２は、ステップＳＰ５５に進んで、液晶ディスプレイ３（3Ａ〜3Ｉ）が当該番号（ボタン）に対応付けられた標準動作パターン又は選定動作パターンとなるように、当該パターンのモータＭ（ＭＡ１〜ＭＡ５、……、ＭＩ１〜ＭＩ５）の角度を内部メモリから読み出すことにより決定する。
【００９６】
そして表示形態制御部２２は、続くステップＳＰ５６に進んで、かかる角度をコマンド変換部２３を介して動作制御コマンドＣＯＭ３としてモータ制御部６０（６０Ａ〜６０Ｉ）に発行した後、動作モード処理手順ＲＴ５のステップＳＰ４１（図１５）で動作モードの終了命令の有無にかかわらずステップＳＰ４４（図１５）に進んでこの動作モード処理手順ＲＴ５を終了する。
【００９７】
この結果、このモータ制御部６０Ａでの動作制御コマンドＣＯＭ３に基づくモータ制御処理（図８）によって、標準動作パターン又は選定動作パターンに応じて液晶ディスプレイ３（３Ａ〜３Ｉ）が変移することとなる。
【００９８】
従って表示形態制御部２２は、標準動作パターンの設定者又は選定動作パターンの設定者（視聴者）の意図に応じて液晶ディスプレイ３の変移状態を変化させることができ、かくして設定者の意図に応じた表示形態を表現することができるようになされている。
【００９９】
このようにして表示形態制御部２２は、単純動作モードを実行することができるようになされている。
【０１００】
（２−２）追尾動作モード
また表示形態制御部２２は、動作モード処理手順ＲＴ５のステップＳＰ４１（図１５）で追尾動作モードプログラムがロードされた場合、サブルーチンＳＲＴとして図１７に示す追尾動作モード処理手順ＳＲＴ２をステップＳＰ６０において開始し、続くステップＳＰ６１に進んで、リモコンＲＣから赤外線受光部２１を介して供給される位置信号ＲＰを所定期間待ち受けるようになされており、当該期間経過後に位置信号ＲＰを取得できたか否かを判定する。
【０１０１】
ここで否定結果が得られると、このことは例えば赤外線受光部２１及びリモコンＲＣ間に障害物が存在することを意味し、このとき表示形態制御部２２は、動作モード処理手順ＲＴ５のステップＳＰ４２（図１５）に進む。
【０１０２】
これに対してステップＳＰ６１において肯定結果が得られると、表示形態制御部２２は、続くステップＳＰ６２に進んでこのとき取得した位置信号ＲＰに基づいてリモコンＲＣの位置を認識し、当該位置に追尾可能であるか否かを判定する。
【０１０３】
ここで否定結果が得られると、このことは例えばリモコンＲＣが取付面２（図１）の背面に存在することを意味し、このとき表示形態制御部２２は、動作モード処理手順ＲＴ５のステップＳＰ４２（図１５）に進む。
【０１０４】
これに対してステップＳＰ６２において肯定結果が得られると、表示形態制御部２２は、続くステップＳＰ６３に進んで、対応するモータ制御部６０（６０Ａ〜６０Ｉ）及びコマンド変換部２３を順次介してモータＭ（ＭＡ１〜ＭＡ５、……、ＭＩ１〜ＭＩ５）から連結角度データＤ３１（Ｄ３１Ａ１〜Ｄ３１Ａ５、……、Ｄ３１Ｉ１〜Ｄ３１Ｉ５）を取得し、これら連結角度データＤ３１と、液晶ディスプレイ３（３Ａ〜３Ｉ）の筺体ＣＡ（図２）サイズ情報とに基づいて液晶ディスプレイ３（３Ａ〜３Ｉ）の中心位置をそれぞれ算出する。
【０１０５】
そして表示形態制御部２２は、続くステップＳＰ６４に進んで、位置信号ＲＰの位置に対する液晶ディスプレイ３（３Ａ〜３Ｉ）の中心位置の距離がそれぞれ同一となるようにモータＭ（ＭＡ１〜ＭＡ５、……、ＭＩ１〜ＭＩ５）の角度を決定し、この後ステップＳＰ６５に進んで、当該角度をコマンド変換部２３を介して動作制御コマンドＣＯＭ３としてモータ制御部６０（６０Ａ〜６０Ｉ）に発行する。
【０１０６】
この結果、このモータ制御部６０（６０Ａ〜６０Ｉ）での動作制御コマンドＣＯＭ３に基づくモータ制御処理（図８）によって、図１０に示したように、液晶パネルＰＮ（ＰＮＡ〜ＰＮＩ）が同一平面上でリモコンＲＣに向くようにして液晶ディスプレイ３（３Ａ〜３Ｉ）が変移することとなる。
【０１０７】
そして表示形態制御部２２は、かかる動作制御コマンドＣＯＭ３の発行後、動作モード処理手順ＲＴ５のステップＳＰ４１（図１５）で動作モードの終了命令を受けるまでステップＳＰ６０〜ＳＰ６５のループを繰り返すことにより、リモコンＲＣの位置情報ＲＰに応じて液晶ディスプレイ３（３Ａ〜３Ｉ）を変移させ続ける。
【０１０８】
従って表示形態制御部２２は、視聴者が動きながらリモコンＲＣを操作した場合であっても、当該リモコンＲＣに追尾するように液晶パネルＰＮ（ＰＮＡ〜ＰＮＩ）を向かせることができるため、当該視聴者に対する視認範囲を広げることができるようになされている。
【０１０９】
このようにして表示形態制御部２２は、追尾動作モードを実行することができるようになされている。
【０１１０】
（２−３）重要度順動作モード
さらに表示形態制御部２２は、動作モード処理手順ＲＴ５のステップＳＰ４１（図１５）で重要度順動作モードプログラムがロードされた場合、サブルーチンＳＲＴとして図１８に示す重要度順動作モード処理手順ＳＲＴ３をステップＳＰ７０において開始し、続くステップＳＰ７１に進んで、液晶パネルＰＮ（ＰＮＡ〜ＰＮＩ）に表示される映像に最も頻度の多く現れる文字列として、情報取得部５０（５０Ａ〜５０Ｎ（図５））からトピック情報Ｄ２３（Ｄ２３Ａ〜Ｄ２３Ｉ）を取得する。
【０１１１】
そして表示形態制御部２２は、続くステップＳＰ７２に進んで、各種情報を管理する情報管理サーバの管理データベースＤＢから当該トピック情報Ｄ２３（Ｄ２３Ａ〜Ｄ２３Ｉ）それぞれの重要度を表す指数（以下、これを重要度指数と呼ぶ）を取得する。
【０１１２】
この後、表示形態制御部２２は、ステップＳＰ７３に進んで、かかる重要度指数が高いほど対応する液晶ディスプレイ３（３Ａ〜３Ｉ）が手前に変移するようにモータＭ（ＭＡ１〜ＭＡ３、……、ＭＩ１〜ＭＩ３）の角度を決定し、この後ステップＳＰ７４に進んで、当該角度をコマンド変換部２３を介して動作制御コマンドＣＯＭ３としてモータ制御部６０（６０Ａ〜６０Ｉ）に発行する。
【０１１３】
この結果、このモータ制御部６０（６０Ａ〜６０Ｉ）での動作制御コマンドＣＯＭ３に基づくモータ制御処理（図８）によって、図１１に示したように、液晶パネルＰＮ（ＰＮＡ〜ＰＮＩ）に表示されるトピック情報Ｄ２３（出現頻度の多い文字列）の重要度指数が高いほど視聴者に近づくように液晶ディスプレイ３（３Ａ〜３Ｉ）が変移することとなる。
【０１１４】
そして表示形態制御部２２は、かかる動作制御コマンドＣＯＭ３の発行後、動作モード処理手順ＲＴ５のステップＳＰ４１（図１５）で動作モードの終了命令を受けるまでステップＳＰ７０〜ＳＰ７４のループを繰り返すことにより、液晶パネルＰＮ（ＰＮＡ〜ＰＮＩ）に表示されるトピック情報Ｄ２３（出現頻度の多い文字列）の重要度指数に応じて液晶ディスプレイ３（３Ａ〜３Ｉ）を前後方向に変移させ続ける。
【０１１５】
従って表示形態制御部２２は、液晶ディスプレイ３（３Ａ〜３Ｉ）を介して映像及び音声を提供するのみならず、当該液晶ディスプレイ３（３Ａ〜３Ｉ）の配置自体を、当該映像に頻発する用語の重要性を意味するものとして表現することができるようになされている。
【０１１６】
このようにして表示形態制御部２２は、重要度順動作モードを実行することができるようになされている。
【０１１７】
（２−４）新規順動作モード
さらに表示形態制御部２２は、動作モード処理手順ＲＴ５のステップＳＰ４１（図１５）で新規順動作モードプログラムがロードされた場合、サブルーチンＳＲＴとして図１９に示す新規順動作モード処理手順ＳＲＴ４をステップＳＰ８０において開始し、続くステップＳＰ８１に進んで、液晶パネルＰＮ（ＰＮＡ〜ＰＮＩ）に表示される映像に最も頻度の多く現れる文字列として、情報取得部５０（５０Ａ〜５０Ｎ）からトピック情報Ｄ２３（Ｄ２３Ａ〜Ｄ２３Ｉ）を取得する。
【０１１８】
そして表示形態制御部２２は、続くステップＳＰ８２に進んで、管理データベースＤＢから当該トピック情報Ｄ２３（Ｄ２３Ａ〜Ｄ２３Ｉ）の新規度を表す指数（以下、これを新規度指数と呼ぶ）をそれぞれ取得した後、ステップＳＰ８３において、当該新規度指数が高いほど対応する液晶ディスプレイ３（３Ａ〜３Ｉ）が手前に変移するようにモータＭ（ＭＡ１〜ＭＡ３、……、ＭＩ１〜ＭＩ３）の角度を決定する。
【０１１９】
次いで表示形態制御部２２は、続くステップＳＰ８４に進んで、かかる角度をコマンド変換部２３を介して動作制御コマンドＣＯＭ３としてモータ制御部６０（６０Ａ〜６０Ｉ）に発行することにより、液晶パネルＰＮ（ＰＮＡ〜ＰＮＩ）に表示されるトピック情報Ｄ２３（出現頻度の多い文字列）の新規度指数が高いほど視聴者に近づくように液晶ディスプレイ３（３Ａ〜３Ｉ）を変移させた後（図１１）、動作モード処理手順ＲＴ５のステップＳＰ４１（図１５）で動作モードの終了命令を受けるまでステップＳＰ８０〜ＳＰ８４のループを繰り返すことにより、当該液晶ディスプレイ３（３Ａ〜３Ｉ）を新規度指数に応じて前後方向に変移させ続ける。
【０１２０】
従って表示形態制御部２２は、液晶ディスプレイ３（３Ａ〜３Ｉ）を介して映像及び音声を提供するのみならず、当該液晶ディスプレイ３（３Ａ〜３Ｉ）の配置自体を、当該映像に頻発する用語の流行性や時代性を意味するものとして表現することができるようになされている。
【０１２１】
このようにして表示形態制御部２２は、新規順動作モードを実行することができるようになされている。
【０１２２】
（２−５）視聴率順動作モード
さらに表示形態制御部２２は、動作モード処理手順ＲＴ５のステップＳＰ４１（図１５）で視聴率順動作モードプログラムがロードされた場合、サブルーチンＳＲＴとして図２０に示す新規順動作モード処理手順ＳＲＴ５をステップＳＰ９０において開始し、続くステップＳＰ９１に進んで、内部タイマ（図示せず）の現時刻と、このときチューナ３１（３１Ａ〜３１Ｉ）で選局されている放送局とに基づいて、液晶パネルＰＮ（ＰＮＡ〜ＰＮＩ）に表示されている映像の番組視聴率を管理データベースＤＢから取得する。
【０１２３】
そして表示形態制御部２２は、続くステップＳＰ９２に進んで、この番組視聴率が高いほど対応する液晶ディスプレイ３（３Ａ〜３Ｉ）が手前に変移するようにモータＭ（ＭＡ１〜ＭＡ３、……、ＭＩ１〜ＭＩ３）の角度を決定する。
【０１２４】
次いで表示形態制御部２２は、続くステップＳＰ９３に進んで、かかる角度をコマンド変換部２３を介して動作制御コマンドＣＯＭ３としてモータ制御部６０（６０Ａ〜６０Ｉ）に発行することにより、液晶パネルＰＮ（ＰＮＡ〜ＰＮＩ）に表示されている映像の番組視聴率が高いほど視聴者に近づくように液晶ディスプレイ３（３Ａ〜３Ｉ）を変移させた後（図１１）、動作モード処理手順ＲＴ５のステップＳＰ４１（図１５）で動作モードの終了命令を受けるまでステップＳＰ９０〜ＳＰ９３のループを繰り返すことにより、当該液晶ディスプレイ３（３Ａ〜３Ｉ）を番組視聴率に応じて前後方向に変移させ続ける。
【０１２５】
従って表示形態制御部２２は、液晶ディスプレイ３（３Ａ〜３Ｉ）を介して映像及び音声を提供するのみならず、当該液晶ディスプレイ３（３Ａ〜３Ｉ）の配置自体を、当該映像の人気度を意味するものとして表現することができるようになされている。
【０１２６】
このようにして表示形態制御部２２は、視聴率順動作モードを実行することができるようになされている。
【０１２７】
（２−６）オブジェクトサイズ順動作モード
さらに表示形態制御部２２は、動作モード処理手順ＲＴ５のステップＳＰ４１（図１５）でオブジェクトサイズ順動作モードプログラムがロードされた場合、サブルーチンＳＲＴとして図２１に示すオブジェクトサイズ順動作モード処理手順ＳＲＴ６をステップＳＰ１００において開始し、続くステップＳＰ１０１に進んで、情報取得部５０（５０Ａ〜５０Ｎ）に保持された人顔サイズ情報（画素数）Ｄ２１（Ｄ２１Ａ〜Ｄ２１Ｉ）を取得し、この後ステップＳＰ１０２において、当該画素数が多いほど対応する液晶ディスプレイ３（３Ａ〜３Ｉ）が手前に変移するようにモータＭ（ＭＡ１〜ＭＡ３、……、ＭＩ１〜ＭＩ３）の角度を決定する。
【０１２８】
そして表示形態制御部２２は、続くステップＳＰ１０３に進んで、かかる角度をコマンド変換部２３を介して動作制御コマンドＣＯＭ３としてモータ制御部６０（６０Ａ〜６０Ｉ）に発行することにより、液晶パネルＰＮ（ＰＮＡ〜ＰＮＩ）に表示されている映像の中心に存在する人顔が大きいほど視聴者に近づくように液晶ディスプレイ３（３Ａ〜３Ｉ）を変移させた後（図１１）、動作モード処理手順ＲＴ５のステップＳＰ４１（図１５）で動作モードの終了命令を受けるまでステップＳＰ１００〜ＳＰ１０３のループを繰り返すことにより、当該液晶ディスプレイ３（３Ａ〜３Ｉ）を人顔の大きさに応じて前後方向に変移させ続ける。
【０１２９】
従って表示形態制御部２２は、液晶パネルＰＮ（ＰＮＡ〜ＰＮＩ）に表示されている映像の中心に存在する人顔をより強調して呈示することができるようになされている。従って表示形態制御部２２は、例えば液晶パネルＰＮ（ＰＮＡ〜ＰＮＩ）に表示している番組のうちニュース番組だけをより注視する場合等には特に有効に表現することができる。
【０１３０】
このようにして表示形態制御部２２は、オブジェクトサイズ順動作モードを実行することができるようになされている。
【０１３１】
（２−７）特定用語出現時動作モード
さらに表示形態制御部２２は、動作モード処理手順ＲＴ５のステップＳＰ４１（図１５）で特定用語出現時動作モードプログラムがロードされた場合、サブルーチンＳＲＴとして図２２に示す特定用語出現時動作モード処理手順ＳＲＴ７をステップＳＰ１１０において開始し、続くステップＳＰ１１１に進んで、「速報」又は「ホームラン」等の特定用語を検出した旨を表す検出通知情報Ｄ２２（Ｄ２２Ａ〜Ｄ２２Ｉ）、Ｄ２４（Ｄ２４Ａ〜Ｄ２４Ｉ）が情報取得部５０（５０Ａ〜５０Ｎ（図５））から供給されたか否かを判定し、ここで否定結果が得られた場合には当該検出通知情報Ｄ２２、Ｄ２４を取得するまで待ち受ける。
【０１３２】
これに対して表示形態制御部２２は、肯定結果が得られた場合には、続くステップＳＰ１１２に進んで、検出通知情報Ｄ２２、Ｄ２４の供給元である例えば情報取得部５０Ａに対応するモータＭＡ１〜ＭＡ３（図3）の角度が他のモータＭＢ１〜ＭＢ３、……、ＭＩ１〜ＭＩ３よりも大きくなるように決定する。
【０１３３】
そして表示形態制御部２２は、続くステップＳＰ１１３に進んで、かかる角度をコマンド変換部２３を介して動作制御コマンドＣＯＭ３としてモータ制御部６０Ａに発行することにより、液晶ディスプレイ３Ａが他の液晶ディスプレイ３Ｂ〜３Ｉよりも視聴者に近づくように変移させた後、動作モード処理手順ＲＴ５のステップＳＰ４１（図１５）で動作モードの終了命令を受けるまでステップＳＰ１１０〜ＳＰ１１３のループを繰り返すことにより、当該液晶ディスプレイ３（３Ａ〜３Ｉ）を検出通知情報Ｄ２２、Ｄ２４に応じて変移させ続ける。
【０１３４】
従って表示形態制御部２２は、「速報」等の特定用語が液晶パネルＰＮＡに表示される前に、又は「ホームラン」等の特定用語がスピーカＳＰＡから出力される前に、対応する液晶ディスプレイ３Ａが最も視聴者に近づくように変移させることができるため、事前に特定用語が表示又は出力されることを視聴者に通知することができるようになされている。従って表示形態制御部２２は、視聴者がある注目情報を見逃したり聞き逃したりすることを未然に回避することができる。
【０１３５】
このようにして表示形態制御部２２は、特定用語出現時動作モードを実行することができるようになされている。
【０１３６】
（２−８）形状近似動作モード
さらに表示形態制御部２２は、動作モード処理手順ＲＴ５のステップＳＰ４１（図１５）で形状近似動作モードプログラムがロードされた場合、サブルーチンＳＲＴとして図２３に示す形状近似動作モード処理手順ＳＲＴ８をステップＳＰ１２０において開始し、続くステップＳＰ１２１に進んで、特化メタデータＤ２５（Ｄ２５Ａ〜Ｄ２５Ｉ）が情報取得部５０（５０Ａ〜５０Ｎ（図５））から供給されたか否かを判定し、ここで否定結果が得られた場合には当該特化メタデータＤ２５を取得するまで待ち受ける。
【０１３７】
これに対して表示形態制御部２２は、肯定結果が得られた場合には、続くステップＳＰ１２２において、例えば情報取得部５０Ａから供給された特化メタデータＤ２５Ａを配分指令と変移指令とに分離する。
【０１３８】
この実施の形態の場合、配分指令は、映像信号Ｓ２１Ａに基づく映像内のオブジェクトを抽出するためのダイミング情報及び当該オブジェクトを液晶ディスプレイ３（３Ａ〜３Ｉ）全体に表示させる制御情報とからなり、また変移指令は、当該オブジェクトの形状に近似するようにディスプレイ支持部４（４Ａ〜４Ｎ）を動作させるためのモータＭの角度となっている。
【０１３９】
そして表示形態制御部２２は、続くステップＳＰ１２３に進んで、かかる配分指令をコマンド変換部２３を介して分配制御コマンドＣＯＭ２として分配器４０に発行すると共に、変移指令をコマンド変換部２３を介して動作制御コマンドＣＯＭ３としてモータ制御部６０（６０Ａ〜６０Ｉ）に発行する。
【０１４０】
この結果、例えば図１２に示したように、このモータ制御部６０（６０Ａ〜６０Ｉ）での動作制御コマンドＣＯＭ３に基づくモータ制御処理（図８）により対応するモータＭ（ＭＡ１〜ＭＡ３、……、ＭＩ１〜ＭＩ３）が駆動され、当該モータＭに連結されたアーム１１〜１４（図３）を介して液晶ディスプレイ３（３Ａ〜３Ｉ）が富士山の形状に近似するように変移することとなる。
【０１４１】
一方、分配器４０では、テレビジョン放送受信部３０（３０Ａ〜３０Ｉ）から供給される映像信号Ｓ２１Ａのオブジェクトが、分配制御コマンドＣＯＭ２のタイミング情報に基づいて切り出すようにして抽出され、当該オブジェクトが、９スクリーンの映像サイズに拡大にされた後に対応する液晶ディスプレイ３（３Ａ〜３Ｉ）に分配され、この結果、例えば図１２に示すように、富士山が液晶ディスプレイ３（３Ａ〜３Ｉ）全体に表示されることとなる。
【０１４２】
そして表示形態制御部２２は、かかるコマンドＣＯＭ２及びＣＯＭ３の発行後、動作モード処理手順ＲＴ５のステップＳＰ４１（図１５）で動作モードの終了命令を受けるまでステップＳＰ１２０〜ＳＰ１２３のループを繰り返すことにより、特化メタデータＤ２５（Ｄ２５Ａ〜Ｄ２５Ｉ）に応じて液晶ディスプレイ３（３Ａ〜３Ｉ）をオブジェクトの形状に近似するように変移させ続けると共に、当該オブジェクトを液晶ディスプレイ３（３Ａ〜３Ｉ）全体に表示させ続ける。
【０１４３】
従って表示形態制御部２２は、液晶パネルＰＮ（ＰＮＡ〜ＰＮＩ）を介してオブジェクトを特に強調して呈示することができるようになされている。この場合、表示形態制御部２２は、例えば液晶パネルＰＮ（ＰＮＡ〜ＰＮＩ）に表示している番組の背景が変化しない場合等には特に有効に表現することができる。
【０１４４】
このようにして表示形態制御部２２は、形状近似動作モードを実行することができるようになされている。
【０１４５】
このようにこの映像表示装置１は、リモコンＲＣ操作に応じて対応する動作モード処理を実行することにより、液晶ディスプレイ３（３Ａ〜３Ｉ）の状態を適応的に変移させることができるようになされている。
【０１４６】
（３）本実施の形態による動作及び効果
以上の構成において、この映像表示装置１は、外部から得られる操作命令信号ＳＣＯＭ、位置信号ＲＰ、人顔サイズ情報Ｄ２１、検出通知情報Ｄ２２、Ｄ２４、トピック情報Ｄ２３又は特化メタデータＤ２５に応じて液晶ディスプレイ３（３Ａ〜３Ｉ）の変移状態（モータＭ（図３）の角度）を決定し、当該決定した変移状態となるようにディスプレイ支持部４（４Ａ〜４Ｉ）を制御する。
【０１４７】
これによりこの映像表示装置１では、外部から得られる各種情報に応じて液晶ディスプレイ３（３Ａ〜３Ｉ）の位置又は向きを変化させることができるため、各液晶ディスプレイ３（３Ａ〜３Ｉ）に表示する映像の呈示状態を切り替えるまでもなく表示形態を多様化できる。
【０１４８】
以上の構成によれば、外部から得られる情報に応じて、液晶ディスプレイ３（３Ａ〜３Ｉ）の変移状態（モータＭ（図３）の角度）を決定し、当該決定した変移状態となるようにディスプレイ支持部４（４Ａ〜４Ｉ）を制御するようにしたことにより、当該情報に応じて表示形態を変化させることができるため、当該表示形態の多様化を図ることができ、かくして映像表現性を向上することができる。
【０１４９】
（４）他の実施の形態
なお上述の実施の形態においては、表示パネルとして液晶表示パネルＰＮ（ＰＮＡ〜ＰＮＩ）を適用するようにした場合について述べたが、本発明はこれに限らず、当該液晶以外のこの他種々の表示パネルを適用するようにしても良い。
【０１５０】
また上述の実施の形態においては、複数の表示パネルをそれぞれ独立して変移自在に支持する支持手段として、図３に示した構成でなるディスプレイ支持部４（４Ａ〜４Ｉ）によって３次元方向に変移自在に支持するようにした場合について述べたが、本発明はこれに限らず、例えば図３との対応部分に同一符号を付した図２４に示すように、固定板１５に一体形成されたアーム１４の開放端に固定されたモータＭ１（ＭＡ１〜ＭＩ１）と、当該モータＭ１の水平軸ＨＳ１を介して軸着された回転ベース１０１と、当該回転ベース１０１を一端側に固定したスライド板１０２と、当該スライド板１０２を前後方向に摺動自在に支持する摺動部１０３とによって構成されるディスプレイ支持部１００によって３次元方向に変移自在に支持するようにしても良く、また当該摺動部１０３を除いてなる図２５に示すディスプレイ支持部１１０によって２次元方向に変移自在に支持するようにしても良く、さらにこれらディスプレイ支持部４、１００及び１１０以外のこの他種々の構成でなるディスプレイ支持部によって変移自在に支持するようにしても良い。
【０１５１】
この場合、９つ液晶ディスプレイ３（３Ａ〜３Ｉ）をそれぞれ独立に支持するようにした場合について述べたが、少なくとも２以上の液晶ディスプレイ３（３Ａ〜３Ｉ）を支持していれば良く、またある単位数からなる液晶ディスプレイを１組として独立に支持するようにしても良い。
【０１５２】
またこの場合、液晶表示パネルＰＮ（ＰＮＡ〜ＰＮＩ）を有する液晶ディスプレイ３（３Ａ〜３Ｉ）を変移自在に支持するようにした場合について述べたが、当該液晶表示パネルＰＮ（ＰＮＡ〜ＰＮＩ）自体を支持するようにしても良い。この場合、液晶表示パネルＰＮ（ＰＮＡ〜ＰＮＩ）数の増加による圧迫感を低減することができる。
【０１５３】
さらに上述の実施の形態においては、外部から得られた情報に応じて各表示パネルの変移状態を決定し、当該決定した変移状態となるように支持手段を制御する制御手段として、表示形態制御部２２、コマンド変換部２３及びモータ制御部６０でなる構成を適用するようにした場合について述べたが、本発明はこれに限らず、この他種々の構成を適用するようにしても良い。
【０１５４】
この場合、単純動作モード時にはリモコンＲＣから得られる操縦部ＬＶ（図１３）の操縦命令信号ＳＣＯＭに応じて、追尾動作モード時にはリモコンＲＣから得られるリモコンＲＣの位置信号ＲＰに応じて、重要度順動作モード、新規順動作モード、オブジェクトサイズ順動作モード、特定用語出現時動作モード及び形状近似動作モード時には情報取得部５０（図５）から得られるトピック情報Ｄ２３、人顔サイズ情報Ｄ２１、検出通知情報Ｄ２２、Ｄ２４や特化メタデータＤ２５（図５）に応じて、視聴率順動作モード時にはテレビジョン放送受信部３０（図４）から得られる選局情報に応じて、例えば図１０、図１１、図１２に示したように液晶ディスプレイ３の変移状態（モータＭ（図３）の角度）を決定するようにしたが、本発明はこれに限らず、この他種々の動作モードを規定し、当該規定した動作モード時に１又は複数の外部情報に応じて液晶ディスプレイ３の変移状態（モータＭ（図３）の角度）を決定するようにしても良い。
【０１５５】
例えば、表示形態制御部２２は、所定のＥＰＧ(Electronic Program Guide)受信部から得られるＥＰＧと、情報取得部（図５）から得られるトピック情報Ｄ２３と、テレビジョン放送受信部３０（図４）から得られる選局情報とに基づいて、現時点の番組の新規度を認識し、当該認識結果に応じて例えば図２６に示すように、新規度に応じて前後方向に段階的に液晶ディスプレイ３が配置されるようにモータＭ（図３）の角度を決定するようにしても良い。このようにすれば、表示形態制御部２２は、例えば液晶パネルＰＮ（ＰＮＡ〜ＰＮＩ）に映画番組だけを表示する場合等にはその映画の新規度を確認させながら視聴させることができる。
【０１５６】
また例えば表示形態制御部２２は、情報取得部（図５）から得られるトピック情報Ｄ２３の重要度が最も高いものを分配制御コマンドＣＯＭ２（図４）を介して、例えば図２７に示すように中央の液晶パネルＰＮＥに表示させると共に、動作制御コマンドＣＯＭ３を介して中央の液晶パネルＰＮＥに没入感が与えられるようにモータＭ（図３）の角度を決定する。このようにすれば、重要度の高い映像をより強調して表現することができる。
【０１５７】
さらに上述の実施の形態においては、決定した動作に従って支持手段を制御する制御手段として、図８に示したモータ制御処理を実行するモータ制御部６０（６０Ａ〜６０Ｉ）を設けるようにした場合について述べたが、本発明はこれに限らず、この他種々の処理を実行するモータ制御部を設けるようにしても良い。
【０１５８】
この場合、ディスプレイ支持部４（４Ａ〜４Ｉ）にそれぞれ対応させてモータ制御部６０（６０Ａ〜６０Ｉ）を設けるようにした場合について述べたが、本発明はこれに限らず、当該ディスプレイ支持部４（４Ａ〜４Ｉ）を統括的に制御する１つのモータ制御部を設けるようにしても良い。
【０１５９】
さらに上述の実施の形態においては、各表示パネルにそれぞれ表示される映像又は当該映像に対応する音声から着目対象をそれぞれ取得するする取得手段として、フレーム画像内の人顔サイズ及びテロップの最頻出文字列を着目対象として取得する情報取得部５０（５０Ａ〜５０Ｉ）を適用するようにしたようにした場合について述べたが、本発明はこれに限らず、例えばこの他種々の１又は２以上の着目対象を取得する情報取得部を適用することができる。
【０１６０】
この場合、表示形態制御部２２では、人顔サイズの大きさ又はテロップの最頻出文字列の重要度順や新規度順に応じて液晶ディスプレイ３が視聴者に近づくようにディスプレイ支持部４の動作を決定するようにしたが、本発明はこれに限らず、例えば有名度等のこの他種々の優先順位に応じて、例えば振動度合いを変える、若しくはその位置での揺らし度合いを変える又はこれらの組み合わせによりディスプレイ支持部４の動作を決定するようにしても良く、要は、優先順位に応じて対応する液晶ディスプレイ３が順次注目されるようにディスプレイ支持部４の動作を決定することができる。
【０１６１】
さらに上述の実施の形態においては、表示パネルに表示される映像又は当該映像に対応する音声に現れる特定用語を検出する用語検出手段として、予め内部メモリに登録された特定用語を検出する文字列抽出部５２及び音声検出部５３を適用するようにした場合について述べたが、本発明はこれに限らず、視聴者等により任意に指定された特定用語を検出する検出部を適用するようにしても良い。
【０１６２】
この場合、表示形態制御部２２では、対応する液晶ディスプレイ３が前方向（最も視聴者に近づく方向）にディスプレイ支持部４の動作を決定するようにしたが、本発明はこれに限らず、対応する液晶ディスプレイ３が他の液晶ディスプレイ３から孤立するように動作を決定しても良く、上述したように対応する液晶ディスプレイ３のみを振動させる、若しくはその位置で揺らすように動作を決定しても良く、又はこれらの組み合わせにより動作を決定しても良く、要は、特定用語に対応する液晶ディスプレイ３が注目されるようにディスプレイ支持部４の動作を決定することができる。
【０１６３】
さらに上述の実施の形態においては、ディスプレイ支持部の変移方向に対応付けられた操縦部を有し、当該操縦部の操作結果を伝達する操作伝達手段として、十字方向及び上下方向に移動自在の操縦部ＬＶの操作結果を赤外線に重畳させて送信するリモコンＲＣを適用するようにした場合について述べたが、本発明はこれに限らず、操縦部ＬＶを有する専用の操縦装置を有線又は無線により映像表示装置１に接続するようにしても良く、あるいは、当該リモコンＲＣの機能を携帯電話機やＰＤＡ(Personal Digital Assistants)等の携帯通信端末機に搭載するようにしても良い。
【０１６４】
さらに上述の実施の形態においては、追尾対象の位置を検出する位置検出手段として、リモコンＲＣに内蔵したＧＰＳ受信機ＲＥＳでの受信結果によりリモコンＲＣの位置を検出するようにした場合について述べたが、本発明はこれに限らず、液晶ディスプレイ３にＣＣＤカメラを搭載し、当該ＣＣＤカメラから得られる画像信号に基づいて画像認識する画像認識部での認識結果によりリモコンＲＣの位置を検出するようにしても良い。この場合、リモコンＲＣを追尾対象としたが、本発明はこれに限らず、例えば液晶ディスプレイ３に最も近くに存在する視聴者を追尾対象とするようにしても良い。
【０１６５】
またこの場合、表示形態制御部２２では、同一平面上で、液晶パネルＰＮ（ＰＮＡ〜ＰＮＩ）がリモコンＲＣに向くようにモータ制御部６０（６０Ａ〜６０Ｎ）を制御するようにした場合について述べたが、本発明はこれに限らず、要は液晶パネルＰＮ（ＰＮＡ〜ＰＮＩ）がリモコンＲＣに向くようにして液晶ディスプレイ３（３Ａ〜３Ｉ）の変移状態を変移するようにすれば良い。
【０１６６】
さらに上述の実施の形態においては、支持手段の変移指令及び又は分配手段の配分指令を外部から取得する取得手段として、テレビジョン放送波に重畳された特化メタデータＤ２５を取得するメタデータ抽出部５４を適用するようにした場合について述べたが、本発明はこれに限らず、例えば視聴者の操作により入力された特化メタデータＤ２５を取得する、あるいは、所定の送信サーバからインターネット等の通信手段を介して入力された特化メタデータＤ２５を取得する等、この他種々の取得経路を介して特化メタデータＤ２５を取得するメタデータ抽出部を適用することができる。
【０１６７】
この場合、変移指令及び配分指令の内容として、映像信号Ｓ２１に基づく映像内におけるあるオブジェクトを抽出するためのダイミング情報、当該オブジェクトを液晶ディスプレイ３（３Ａ〜３Ｉ）全体に表示させる制御情報及び当該オブジェクトの形状に近似するようにディスプレイ支持部４（４Ａ〜４Ｎ）を動作させるための角度でなる特化メタデータＤ２５を適用するようにしたが、本発明はこれに限らず、この他種々の動作指令及び配分指令の内容を適用することができる。
【０１６８】
さらに上述の実施の形態においては、複数の映像信号を各表示パネルに分配する分配手段として、形状近似動作モード時に表示形態制御部２２からコマンド変換部２３を介して発行される分配制御コマンドＣＯＭ２に基づいて映像信号Ｓ２１を分配する分配するようにした場合について述べたが、本発明はこれに限らず、例えば動作モードにかかわらずリモコンの操作に応じて発行される分配制御コマンドＣＯＭ２に基づいて映像信号Ｓ２１を分配するようにしても良い。
【産業上の利用可能性】
【０１６９】
本発明は、複数の表示パネルを有する映像表示装置を視聴する場合に利用可能である。
【図面の簡単な説明】
【０１７０】
【図１】本実施の形態による映像表示装置の構成を示す略線図である。
【図２】液晶ディスプレイの構成を示す略線図である。
【図３】ディスプレイ支持部の構成を示す側面図、上面図及び正面図である。
【図４】信号処理部の構成を示すブロック図である。
【図５】情報取得部の構成を示すブロック図である。
【図６】オブジェクト計測処理手順を示すフローチャートである。
【図７】文字列抽出処理手順を示すフローチャートである。
【図８】モータ制御処理手順を示すフローチャートである。
【図９】モータ制御量補正処理手順を示すフローチャートである。
【図１０】液晶ディスプレイの配列状態例（１）を示す略線図である。
【図１１】液晶ディスプレイの配列状態例（２）を示す略線図である。
【図１２】液晶ディスプレイの配列状態例（３）を示す略線図である。
【図１３】リモコンの構成例を示す略線図である。
【図１４】動作モードの選択の説明に供する略線図である。
【図１５】動作モード処理手順を示すフローチャートである。
【図１６】単純動作モード処理手順を示すフローチャートである。
【図１７】追尾動作モード処理手順を示すフローチャートである。
【図１８】重要度順動作モード処理手順を示すフローチャートである。
【図１９】新規順動作モード処理手順を示すフローチャートである。
【図２０】視聴率順動作モード処理手順を示すフローチャートである。
【図２１】オブジェクトサイズ順動作モード処理手順を示すフローチャートである。
【図２２】特定用語出現時動作モード処理手順を示すフローチャートである。
【図２３】形状近似動作モード処理手順を示すフローチャートである。
【図２４】他の実施の形態によるディスプレイ支持部の構成（１）を示す側面図、上面図及び正面図である。
【図２５】他の実施の形態によるディスプレイ支持部の構成（２）を示す側面図、上面図及び正面図である。
【図２６】他の実施の形態による液晶ディスプレイの配列状態例（１）を示す略線図である。
【図２７】他の実施の形態による液晶ディスプレイの配列状態例（２）を示す略線図である。
【符号の説明】
【０１７１】
１……映像表示装置、２……取付面、３……液晶ディスプレイ、4……ディスプレイ支持部、５……信号処理部、２０……統合制御部、２１……赤外線受光部、２２……表示形態制御部、２３……コマンド変換部、２４……通信部、３０（３０Ａ〜３０Ｉ）……テレビジョン放送受信部、４０……分配器、５０（５０Ａ〜５０Ｉ）……情報取得部、５１……オブジェクト計測部、５２……文字列抽出部、５３……音声検出部、５４……メタデータ抽出部、６０（６０Ａ〜６０Ｎ）……モータ制御部、ＣＯＭ１……選局制御コマンドＣＯＭ２……分配制御コマンド、ＣＯＭ３……動作制御コマンド、ＤＢ……管理データベース、Ｄ２１（Ｄ２１Ａ〜Ｄ２１Ｉ）……人顔サイズ情報、Ｄ２２（Ｄ２２Ａ〜Ｄ２２Ｉ）、Ｄ２４（Ｄ２４Ａ〜Ｄ２４Ｉ）……検出通知情報、Ｄ２３（Ｄ２３Ａ〜Ｄ２３Ｉ）……トピック情報、Ｄ２５（Ｄ２５Ａ〜Ｄ２５Ｉ）……特化メタデータ、ＲＥＳ……ＧＰＳ受信機、ＲＰ……位置信号、Ｍ（ＭＡ１〜ＭＡ５、……、ＭＩ１〜ＭＩ５）……モータ、ＲＴ１……オブジェクト計測処理手順、ＲＴ２……文字列抽出処理手順、ＲＴ３……モータ制御処理手順、ＲＴ４……モータ制御量補正処理手順、ＲＴ５……動作モード処理手順、ＳＲＴ１……単純動作モード処理手順、ＳＲＴ２……追尾動作モード処理手順、ＳＲＴ３……重要度順動作モード処理手順、ＳＲＴ４……新規順動作モード処理手順、ＳＲＴ５……視聴率順動作モード処理手順、ＳＲＴ６……オブジェクトサイズ順動作モード処理手順、ＳＲＴ７……特定用語出現時動作モード処理手順、ＳＲＴ８……形状近似動作モード処理手順。
【図１】
0004614045.tif 000002
【図２】
0004614045.tif 000003
【図３】
0004614045.tif 000004
【図４】
0004614045.tif 000005
【図５】
0004614045.tif 000006
【図６】
0004614045.tif 000007
【図７】
0004614045.tif 000008
【図８】
0004614045.tif 000009
【図９】
0004614045.tif 000010
【図１０】
0004614045.tif 000011
【図１１】
0004614045.tif 000012
【図１２】
0004614045.tif 000013
【図１３】
0004614045.tif 000014
【図１４】
0004614045.tif 000015
【図１５】
0004614045.tif 000016
【図１６】
0004614045.tif 000017
【図１７】
0004614045.tif 000018
【図１８】
0004614045.tif 000019
【図１９】
0004614045.tif 000020
【図２０】
0004614045.tif 000021
【図２１】
0004614045.tif 000022
【図２２】
0004614045.tif 000023
【図２３】
0004614045.tif 000024
【図２４】
0004614045.tif 000025
【図２５】
0004614045.tif 000026
【図２６】
0004614045.tif 000027
【図２７】
0004614045.tif 000028